(57)【要約】      （修正有）【課題】パチンコ台を取り付けるための枠体を基枠に容易に着脱可能とする固定装置を提供する。【解決手段】折曲板体による基板１と、基板を上下に貫通して位置するスライダーガイド６と、その下部に連続凸部を有しスライダーガイド内を上下にスライド可能にするスライダー７と、スライダー上下位置の固定および固定解除手段と、基板に対し水平に位置変更可能にするハンドル部３とから構成されたことを特徴とする。【選択図】図３
0003137669.tif 000002
【実用新案登録請求の範囲】
【請求項１】
折曲板体による基板と、基板を上下に貫通して位置するスライダーガイドと、その下部に連続凸部を有しスライダーガイド内を上下にスライド可能なるスライダーと、該スライダー上下位置の固定および固定解除手段と、基板に対し水平に位置変更可能なるハンドル部とから構成されたことを特徴とするパチンコ台用枠の固定装置。
【請求項２】
折曲板体による基板と、基板を上下に貫通して位置するスライダーガイドと、その下部に連続凸部を有しスライダーガイド内を上下にスライド可能なるスライダーと、該スライダー上下位置の固定および固定解除手段と、基板に対し水平に位置変更可能なるハンドル部とから構成されたことを特徴とするパチンコ台用枠の固定装置を設け、一方、雌ねじを有する折曲板体による基板を設け、該雌ねじに螺号して上下に位置変更可能なる押圧体を有するハンドル部と、該ハンドル部に対し直交に位置するとともに雌ねじに螺号して位置変更可能なる板体押圧体を有したことを特徴とするパチンコ台用枠の固定装置を設け、以上の双方の固定装置の組み合わせよりなることを特徴とするパチンコ台用枠の固定装置。
【考案の詳細な説明】
【技術分野】
【０００１】  この考案は、パチンコ台を取り付けるための枠体を基枠（島）に容易に取り付け固定することのできる、パチンコ台用枠の固定装置に関する。
【背景技術】
【０００２】  従来より、パチンコ台は枠体にまず取り付け、この枠体をパチンコ店に装備されている基枠（島）に取り付けることにより使用可能となっているが、釘打ちやビス止め等によりなされることが多く、本考案にて示すように、クランプ式にて枠体を容易に島に取り付け固定する装置は現在のところ見あたらない。
【考案の開示】
【考案が解決しようとする課題】
【０００３】  前述のように、枠体を島に取り付けるときには釘打ちやビス止めにて行うために、パチンコ台および島に傷がつき、パチンコ台を取り替えるごとにこの作業がなされるために島が損傷するという問題がある。パチンコ台は通常若干の傾斜を有して固定されるが、この傾斜を計測して正確に固定する必要があり、高度な熟練を要するものであった。
本案は以上のような従来からのパチンコ台取り付け手段に関わる課題を解決するために考案されたもので、熟練を要することなく誰でも簡単にパチンコ台を取り付け取り外しすることのできる新規かつ有用なる装置を提供することを目的として考案されたものである。
【課題を解決するための手段】
【０００４】  課題を解決する手段として本案は以下の構成とした。
すなわち、本案の一つは、折曲板体による基板と、基板を上下に貫通して位置するスライダーガイドと、その下部に連続凸部を有しスライダーガイド内を上下にスライド可能なるスライダーと、該スライダー上下位置の固定および固定解除手段と、基板に対し水平に位置変更可能なるハンドル部とから構成されたことを特徴とするパチンコ台用枠の固定装置である。また、本案の他の一つは、折曲板体による基板と、基板を上下に貫通して位置するスライダーガイドと、その下部に連続凸部を有しスライダーガイド内を上下にスライド可能なるスライダーと、該スライダー上下位置の固定および固定解除手段と、基板に対し水平に位置変更可能なるハンドル部とから構成されたことを特徴とするパチンコ台用枠の固定装置を設け、一方、雌ねじを有する折曲板体による基板を設け、該雌ねじに螺号して上下に位置変更可能なる押圧体を有するハンドル部と、該ハンドル部に対し直交に位置するとともに雌ねじに螺号して位置変更可能なる板体押圧体を有したことを特徴とするパチンコ台用枠の固定装置を設け、以上の双方の固定装置の組み合わせよりなることを特徴とするパチンコ台用枠の固定装置である。
【考案の効果】
【０００５】  本案によれば、ハンドル部等の操作にてパチンコ台用枠を島に容易に固定するとともに、パチンコ台角度の微調整を可能とし、また固定解除も容易であり、従来法のような釘打ちやビス止め等の作業を基本的に不要とし、熟練者でなくとも所望の作業を迅速に行うことのできる、有用なる装置を提供することができる。
従って、作業コスト面での大幅なる改善を可能とすることができる。
【考案を実施するための最良の形態】
【０００６】  以下、本考案の実施形態について説明する。
図において、図１〜図４は上部固定装置、図５〜図７は下部固定装置である。
１は基板で、鉄板を側面視Ｌ形に折曲した板体であり、適宜に切除された部分を有している。この基板の正面視において左方下部は二段に折曲されてＬ形の張り出し部２が形成され、貫通孔が穿設され、この貫通孔に一致させて裏面にナットが溶着される。このナットにはハンドル部３が螺号する。このハンドル部はつまみ４に雄ねじが設けられ、この雄ねじ端に小円板５が固着され、つまみを回すことにて小円板の平行移動が可能に構成されている。基板上面のほぼ中央にはスライダーガイド６が貫通固着される。このスライダーガイドはその内面下方に段部を有する管体であり、その上部を基板上面よりやや突出させて設けられる。スライダーガイド内には圧縮コイルスプリング（図示略）がその下面を段部に接して位置している。７はスライダーである。このスライダーは略円柱状の大径部の上方に突部８が一体に形成され、下方には雄ねじが設けられ、この雄ねじに螺号する雌ねじを有する押圧体９が位置し、押圧体下部には連続凸部１０が形成される。
スライダーはスライダーガイド内に位置し、大径部外径はスライダーガイド内径よりわずかに小さく、大径部下面はスプリング上面に接し、突部は基板上方に突出し、押圧体下面はスライダーガイド下部よりやや突出し、突部への下方への押圧にて押圧体は下方に移動可能であるとともに、スプリングの弾性にて初期位置への復帰力が常に働いている。
１１はスライダー押圧板である。このスライダー押圧板は横断面において略コ字形の細長板体であり、その一端は上方へ湾曲した引っ掛け部１２を有し、他端は基板上に固着された支持部材に回動可能に軸支される。１３は市販のスプリングパチン錠であり、その上部の軸はレバー操作にて位置変更可能であり、前記引っ掛け部にこの軸を押圧係止させ、またこの係止解除が可能である。【０００７】  押圧係止時はスライダー押圧板に前記突部が押圧接触し、押圧体下面はより下方に位置し、係止解除時は押圧体はやや上方に移動する。
１４は枠体固定板であり、断面コ字形部分を有する側面視Ｌ形の板体で、その一部には長穴状のスリット１５が設けられる。１６は基板正面右方に突設される雄ねじである。
この雄ねじはスリット内に位置するとともにスリットより突出し、ワッシャを介してナットが螺号する。なお、基板適所にはビス止め用の孔が穿設される。従って、このナットを締めることにて枠体固定板は基板に固定され、ゆるめることにて基板に対する上下位置を変更することができる。以上が上部固定装置の構成であり、左右一対にて用いられる。
次に、下部固定装置について説明する。
２０は基板で、各々反対方向に直角に折曲された板体であり、適宜に孔が穿設され、この孔にナットが溶着される。２１はハンドル部で、上部固定装置に用いたものと類似の構造であるが、雄ねじ端にはその下部に連続凸部を刻設した押圧体２２が位置している。
２３は板体押圧体で、ボルト端に小円板が固着されている。これらのハンドル部および板体押圧体は上記ナットに各々螺号して互いに直角に位置するとともに、回動にてナットに対する位置変更が可能である。なお、基板適所にはビス止め用の孔が適宜に穿設される。【０００８】  次に、本案の使用について説明する。まず、枠体に設けたパチンコ台保持体にパチンコ台の対応個所をはめ込んで取り付ける。次にこの枠体を基枠の背面から挿入する。
基枠底板適所に下部固定装置下面をあてがい、ビス止めする。上部固定装置を図１５のごとくあてがい、基枠上板に穿設された貫通孔（図示略）内に、本装置のスライダーガイドを挿入する。このとき、パチン錠のノブを上げて押圧体をフリーの状態にしておく。
パチン錠のノブをセットしてスライダー押圧板を下方所定位置に押し下げる事にて、スライダーの突部は押圧され、押圧体下方の連続凸部は枠体の上板上面にくい込み固定される。なお、押圧体９はスライダー本体に対して螺号しており、その上下位置の調整にてくい込みに適した位置を得ることができる。パチンコ台の傾斜の調整は各ハンドル部を回して行う。ハンドル部には押圧のための小円板が設けられており、この小円板にて枠体を形成している板体を押圧することにてパチンコ台角度を調整することができる。なお、これは連続凸部上下位置操作前に行う。
取り外すときは上述と逆の手順にて行えばよい。なお、必要に応じて各固定装置に穿設された固定用の孔にて板体に装置をビス止めすることができる。また、基枠にはその前面両側に傾斜板が位置し、一方の傾斜板には張り出し板があり、これにて枠体の前後位置限定がなされる。以上、本案について説明したが、本案はクランプ方式にてパチンコ台を容易に基枠に取り付け取り外すことができるところにその特徴を有し、熟練を要することなく使用できるものである。従って、作業に要する時間は短縮され、作業コスト削減に大いなる効果をもたらす有意な装置を提供し得るものである。
【図面の簡単な説明】
【０００９】
【図１】本考案の上部固定装置の拡大平面図
【図２】本考案の上部固定装置の拡大正面図
【図３】本考案の上部固定装置の拡大右側面図
【図４】本考案のスライダーの拡大正面図
【図５】本考案の下部固定装置の拡大平面図
【図６】本考案の下部固定装置の拡大正面図
【図７】本考案の下部固定装置の拡大右側面図
【図８】既存の基枠の正面図
【図９】既存の基枠の右側面図
【図１０】既存の基枠の背面図
【図１１】既存の枠体の正面図
【図１２】既存の枠体の右側面図
【図１３】既存の枠体の背面図
【図１４】本考案の取り付け状態図
【図１５】本考案の使用状態説明図（上部固定装置）
【図１６】本考案の使用状態説明図（下部固定装置）
【符号の説明】
【００１０】１    基板
２    張り出し部
３    ハンドル部
４    つまみ
５    小円板
６    スライダーガイド
７    スライダー
８    突部
９    押圧体
１０  連続凸部
１１  スライダー押圧板
１２  引っ掛け部
１３  スプリングパチン錠
１４  枠体固定板
１５  スリット
１６  雄ねじ
２０  基板
２１  ハンドル部
２２  押圧体
２３  板体押圧体
３０  基枠
３１  上板
３２  底板
３３  張り出し板
３４  傾斜板
４０  枠体
４１  上板
４２  下板
４３  パチンコ台保持体
４４  パチンコ台保持体
【図１】
0003137669.tif 000003
【図２】
0003137669.tif 000004
【図３】
0003137669.tif 000005
【図４】
0003137669.tif 000006
【図５】
0003137669.tif 000007
【図６】
0003137669.tif 000008
【図７】
0003137669.tif 000009
【図８】
0003137669.tif 000010
【図９】
0003137669.tif 000011
【図１０】
0003137669.tif 000012
【図１１】
0003137669.tif 000013
【図１２】
0003137669.tif 000014
【図１３】
0003137669.tif 000015
【図１４】
0003137669.tif 000016
【図１５】
0003137669.tif 000017
【図１６】
0003137669.tif 000018